(57)【要約】【課題】シール材を適切な押し込み量で目地に押し込むことができるシール材押込み工具及びシール材押込み方法を提供する。【解決手段】シール材押込み工具１０は、隣り合う外壁面材２２の間の目地２４にシール材２５を押し込むためのもので、伸縮可能な伸縮ポール１１と、その伸縮ポール１１の先端側に取り付けられたローラ取付部１２と、そのローラ取付部１２に回転可能に取り付けられたローラ１３とを備えている。ローラ１３は、目地２４の長さ方向に回転移動させることにより、シール材２５を目地２４に押し込むためのものである。ローラ１３の外周面には、ローラ１３の幅方向の両端側にそれぞれ突出部１９が設けられている。各突出部１９は、ローラ１３の周方向全域に亘って延びている。各突出部１９は、ローラ１３の回転移動に際し、シール材２５のカバー部２５ｂの幅方向両端部を屋外側から各外壁面材２２に押し付けるものである。【選択図】      図５
2020066940.tif 000002
【特許請求の範囲】
【請求項１】
建物外周部において隣り合って設けられる各建材の間の目地にその目地に沿って定形のシール材が設けられ、そのシール材は前記目地に挿入される挿入部と前記目地よりも屋外側で前記各建材に跨がって設けられるカバー部とを有している建物に用いられるもので、
前記目地に前記シール材を押し込むためのシール材押込み工具であって、
前記目地の長さ方向に回転移動させることにより、前記シール材を前記目地に押し込むためのローラと、
長尺状をなし、先端部に前記ローラが回転可能に取り付けられた本体部と、を備え、
前記ローラの幅は前記目地の幅よりも大きくされており、
前記ローラは、その外周面における幅方向の両端側にそれぞれ、当該ローラの前記回転移動に際し、前記カバー部における前記各建材に跨がる部分をそれぞれ前記各建材に押し付けて保持する保持部を有していることを特徴とするシール材押込み工具。
【請求項２】
前記各保持部は、前記ローラの外周面から突出し、当該ローラの周方向全域に亘って延びる一対の突出部とされていることを特徴とする請求項１に記載のシール材押込み工具。
【請求項３】
建物外周部において隣り合って設けられる各建材の間の目地にその目地に沿って定形のシール材が設けられ、そのシール材は前記目地に挿入される挿入部と前記目地よりも屋外側で前記各建材に跨がって設けられるカバー部とを有している建物に用いられるもので、
前記目地に前記シール材を押し込むためのシール材押込み工具であって、
前記目地の長さ方向に回転移動させることにより、前記シール材を前記目地に押し込むためのローラと、
長尺状をなし、先端部に前記ローラが回転可能に取り付けられた本体部と、を備え、
前記ローラの幅は前記目地の幅よりも大きくされており、
前記ローラの外周面には、当該ローラの幅方向の両端側にそれぞれ当該ローラの周方向全域に亘って延びる突部が設けられ、
前記各突部は、互いの間隔が前記カバー部の幅よりも大きくされ、前記ローラの前記回転移動に際し、前記カバー部を挟んだ両側において先端を前記各建材に当接させた状態で配置されることを特徴とするシール材押込み工具。
【請求項４】
請求項１に記載のシール材押込み工具を用いて前記目地に前記シール材を押し込むための押込み方法であって、
前記各保持部を前記カバー部における前記各建材に跨がる部分にそれぞれ屋外側から当接させた状態で前記ローラを配置するローラ配置工程と、
その配置状態で前記ローラを前記目地に沿って回転移動させることで、前記シール材を前記目地に押し込むシール材押込み工程と、を備え、
前記シール材押込み工程では、前記各保持部により前記カバー部における前記各建材に跨がる部分をそれぞれ前記各建材に押し付けて保持しながら、前記カバー部の幅方向の中央部を前記ローラの外周面により押圧することで前記シール材を前記目地に押し込むことを特徴とするシール材押込み方法。
【請求項５】
前記各保持部は、前記ローラの外周面から突出し、当該ローラの周方向全域に亘って延びる一対の突出部とされていることを特徴とする請求項４に記載のシール材押込み方法。
【発明の詳細な説明】
【技術分野】
【０００１】
本発明は、建物外周部において隣り合って設けられる各建材の間の目地に定形のシール材を押し込むためのシール材押込み工具及び、そのシール材押込み工具を用いたシール材押込み方法に関するものである。
【背景技術】
【０００２】
住宅等の建物では、複数の外壁面材が並べて設けられることで外壁が構成されている。かかる外壁では、隣り合う外壁面材の間に目地が形成される。また、かかる外壁には、サッシやシャッタ等の部材（以下、外壁取付部材という）が取り付けられる場合がある。この場合、外壁取付部材が外壁面材と隣り合って配置され、それら両者の間には目地が形成される。このように、建物の外周部においては、隣り合って設けられる建材同士の間に目地が形成されるようになっている。
【０００３】
目地には、その目地を通じて雨水等の水が屋内側に入り込むのを防止すべく、シール材が設けられる。かかるシール材としては、ゴム材等からなる長尺の定形シール（ガスケット）が用いられる場合がある。一般に、定形シールは、目地に挿入され当該目地を塞ぐ挿入部と、目地よりも屋外側で隣り合う建材に跨がって設けられるカバー部とを有している。
【０００４】
特許文献１等には、かかる定形のシール材を目地に押し込むための押込み工具が開示されている。押込み工具は、シール材を目地に押し込むためのローラを備え、そのローラを目地に沿って回転移動させることでシール材を目地に押し込むものとなっている。
【先行技術文献】
【特許文献】
【０００５】
【特許文献１】実開平４−１３７１５５号公報
【発明の概要】
【発明が解決しようとする課題】
【０００６】
ところで、シール材は、そのカバー部の表面（屋外側面）が幅方向の中央部において屋外側に凸となる曲面形状をなしている場合がある。ここで、かかるシール材を、上述の押込み工具を用いてローラにより目地に押し込む際には、ローラの外周面によりカバー部の幅方向中央部を目地に向けて押し付けながら、シール材を目地に押し込むことになると考えられる。しかしながら、この場合、シール材をカバー部を含めて目地内に押し込んでしまう等、シール材を目地に押し込み過ぎてしまうことが懸念される。そのため、従来の押込み工具は、その点で未だ改善の余地がある。
【０００７】
本発明は、上記事情に鑑みてなされたものであり、シール材を適切な押し込み量で目地に押し込むことができるシール材押込み工具及びシール材押込み方法を提供することを主たる目的とするものである。
【課題を解決するための手段】
【０００８】
上記課題を解決すべく、第１の発明のシール材押込み工具は、建物外周部において隣り合って設けられる各建材の間の目地にその目地に沿って定形のシール材が設けられ、そのシール材は前記目地に挿入される挿入部と前記目地よりも屋外側で前記各建材に跨がって設けられるカバー部とを有している建物に用いられるもので、前記目地に前記シール材を押し込むためのシール材押込み工具であって、前記目地の長さ方向に回転移動させることにより、前記シール材を前記目地に押し込むためのローラと、長尺状をなし、先端部に前記ローラが回転可能に取り付けられた本体部と、を備え、前記ローラの幅は前記目地の幅よりも大きくされており、前記ローラは、その外周面における幅方向の両端側にそれぞれ、当該ローラの前記回転移動に際し、前記カバー部における前記各建材に跨がる部分をそれぞれ前記各建材に押し付けて保持する保持部を有していることを特徴とする。
【０００９】
本発明によれば、ローラの外周面において、ローラの幅方向の両端側にそれぞれ保持部が設けられている。この場合、ローラを目地に沿って回転移動させることによりシール材を目地に押し込む際、それら各保持部によりシール材のカバー部において各建材に跨がる部分をそれぞれ各建材に押し付けて保持することが可能となる。これにより、シール材を目地に押し込む際、シール材を押し込み過ぎてしまうのを防止することができ、その結果、シール材を適切な押し込み量で目地に押し込むことが可能となる。
【００１０】
なお、建物外周部に設けられる建材には、外壁を構成する外壁面材の他、サッシやシャッタ等、外壁に取り付けられる外壁取付部材が含まれる。
【００１１】
第２の発明のシール材押込み工具は、第１の発明において、前記各保持部は、前記ローラの外周面から突出し、当該ローラの周方向全域に亘って延びる一対の突出部とされていることを特徴とする。
【００１２】
本発明によれば、ローラの幅方向の両端側にそれぞれ保持部として突出部が設けられている。この場合、シール材のカバー部の表面が幅方向の中央部にて屋外側に凸となる形状を有している場合でも、各突出部によりカバー部において各建材に跨がる部分（換言するとカバー部の幅方向両端部）を上手く各建材に押し付けて保持することが可能となる。これにより、シール材を目地に押し込む際、押し込み過ぎてしまうのを好適に防止することができる。
【００１３】
第３の発明のシール材押込み工具は、建物外周部において隣り合って設けられる各建材の間の目地にその目地に沿って定形のシール材が設けられ、そのシール材は前記目地に挿入される挿入部と前記目地よりも屋外側で前記各建材に跨がって設けられるカバー部とを有している建物に用いられるもので、前記目地に前記シール材を押し込むためのシール材押込み工具であって、前記目地の長さ方向に回転移動させることにより、前記シール材を前記目地に押し込むためのローラと、長尺状をなし、先端部に前記ローラが回転可能に取り付けられた本体部と、を備え、前記ローラの幅は前記目地の幅よりも大きくされており、前記ローラの外周面には、当該ローラの幅方向の両端側にそれぞれ当該ローラの周方向全域に亘って延びる突部が設けられ、前記各突部は、互いの間隔が前記カバー部の幅よりも大きくされ、前記ローラの前記回転移動に際し、前記カバー部を挟んだ両側において先端を前記各建材に当接させた状態で配置されることを特徴とする。
【００１４】
本発明によれば、ローラの外周面において、ローラの幅方向の両端側にそれぞれ突部が設けられている。これら各突部は、互いの間隔がカバー部の幅よりも大きくされている。この場合、ローラを目地に沿って回転移動させることでシール材を目地に押し込む際、各突部を、カバー部を挟んだ両側において先端を各建材に当接させた状態で配置することができる。これにより、シール材を目地に押し込む際、シール材を押し込み過ぎてしまうのを防止することができ、その結果、シール材を適切な押し込み量で目地に押し込むことが可能となる。
【００１５】
第４の発明のシール材押込み方法は、第１の発明のシール材押込み工具を用いて前記目地に前記シール材を押し込むための押込み方法であって、前記各保持部を前記カバー部における前記各建材に跨がる部分にそれぞれ屋外側から当接させた状態で前記ローラを配置するローラ配置工程と、その配置状態で前記ローラを前記目地に沿って回転移動させることで、前記シール材を前記目地に押し込むシール材押込み工程と、を備え、前記シール材押込み工程では、前記各保持部により前記カバー部における前記各建材に跨がる部分をそれぞれ前記各建材に押し付けて保持しながら、前記カバー部の幅方向の中央部を前記ローラの外周面により押圧することで前記シール材を前記目地に押し込むことを特徴とする。
【００１６】
本発明によれば、シール材押込み工具を用いてシール材を目地に押し込む際、まず、各保持部をカバー部において各建材に跨がる部分に屋外側から当接させた状態でローラを配置する。そして、その配置状態で、ローラを目地に沿って回転移動させることにより、シール材を目地に対して押し込む。この際、各保持部によりカバー部における各建材に跨がる部分（換言するとカバー部の幅方向両端部）をそれぞれ建材に押し付けて保持しながらカバー部の幅方向の中央部をローラの外周面により押圧することでシール材を目地に押し込む。この場合、シール材を目地に押し込むに際し、シール材を押し込み過ぎてしまうのを防止することができ、その結果、シール材を適切な押し込み量で目地に押し込むことが可能となる。
【００１７】
第５の発明のシール材押込み方法は、第４の発明において、前記各保持部は、前記ローラの外周面から突出し、当該ローラの周方向全域に亘って延びる一対の突出部とされていることを特徴とする。
【００１８】
本発明によれば、ローラの幅方向の両端側にそれぞれ保持部として突出部が設けられている。この場合、ローラ配置工程では、各突出部をカバー部において各建材に跨がる部分に屋外側から当接させた状態でローラを配置する。そして、シール材押込み工程では、各突出部によりカバー部における各建材に跨がる部分をそれぞれ建材に押し付けて保持しながらカバー部の幅方向の中央部をローラの外周面により押圧することでシール材を目地に押し込む。この場合、カバー部の表面が幅方向の中央部にて屋外側に凸となる形状を有している場合でも、各突出部によりカバー部において各建材に跨がる部分を上手く各建材に押し付けて保持することが可能となる。そのため、シール材を目地に押し込む際、シール材を押し込み過ぎてしまうのを好適に防止することが可能となる。
【図面の簡単な説明】
【００１９】
【図１】シール材押込み工具を示す側面図。
【図２】（ａ）がローラ取付部及びローラ周辺の構成を示す側面図であり、（ｂ）が同構成を示す正面図である。
【図３】ローラ取付部及びローラ周辺の構成を示す断面図。
【図４】シール材押込み工具の使用時の状態を示す斜視図。
【図５】隣り合う外壁面材の間の目地にシール材をローラにより押し込む際の様子を示す横断面図。
【図６】外壁面材と外壁取付部材との間の目地にシール材をローラにより押し込む際の様子を示す横断面図。
【発明を実施するための形態】
【００２０】
以下に、本発明を具体化した一実施の形態について図面を参照しつつ説明する。なお、図１は、シール材押込み工具を示す側面図である。
【００２１】
図１に示すように、シール材押込み工具１０は、伸縮可能な伸縮ポール１１と、その伸縮ポール１１の先端側に取り付けられたローラ取付部１２と、そのローラ取付部１２に回転可能に取り付けられたローラ１３とを備えている。
【００２２】
伸縮ポール１１は、長さ方向に並ぶ複数本の筒体１１ａ〜１１ｅを有して構成されている。これら各筒体１１ａ〜１１ｅは、例えばグラスファイバー等の非導電性の材料により形成されている。各筒体１１ａ〜１１ｅはいずれも円筒状とされ、隣り合う筒体のうち先端側の筒体が基端側の筒体よりも径が小さくなるように形成されている。伸縮ポール１１は、隣り合う筒体のうち先端側の筒体（例えば１１ｂ）が基端側の筒体（例えば１１ｃ）に収容されることで縮まり、先端側の筒体が基端側の筒体から引き出されることで伸長するようになっている。
【００２３】
伸縮ポール１１には、隣り合う筒体のうち先端側の筒体が基端側の筒体から引き出された状態で両筒体を固定する固定具１４が設けられている。固定具１４は、隣り合う筒体ごとに複数設けられ、隣り合う筒体を固定及び固定解除することが可能となっている。この固定具１４により隣り合う筒体を固定することで、伸縮ポール１１を伸長状態に保持することが可能となっている。
【００２４】
続いて、ローラ取付部１２及びローラ１３の構成について図２及び図３に基づいて説明する。図２は、（ａ）がローラ取付部１２及びローラ１３周辺の構成を示す側面図であり、（ｂ）が同構成を示す正面図である。また、図３はローラ取付部１２及びローラ１３周辺の構成を示す断面図であり、図２（ｂ）のＡ−Ａ線断面図に相当する。
【００２５】
図２及び図３に示すように、ローラ取付部１２は、金属材料により棒状に形成され、詳しくは角棒状に形成されている。ローラ取付部１２は、その長さ方向が伸縮ポール１１の長さ方向と同方向となる向きで伸縮ポール１１の先端部、詳しくは最も先端側の筒体１１ａの先端部に取り付けられている。
【００２６】
具体的には、ローラ取付部１２には、その長さ方向の基端側におねじ部１２ａが形成されている。一方、筒体１１ａの先端部には、その先端にて開口するねじ孔１６が形成されている。そして、このねじ孔１６にローラ取付部１２のおねじ部１２ａがねじ込まれることで、ローラ取付部１２が筒体１１ａに取り付けられている。なお、伸縮ポール１１及びローラ取付部１２により本体部が構成されている。
【００２７】
ローラ１３は、樹脂材料により円板状に形成されている。ローラ１３は、ローラ取付部１２に回転軸１５を介して回転可能に取り付けられている。ローラ１３には、その中心部にローラ１３の幅方向に貫通する軸孔部１３ａが形成されている。また、ローラ取付部１２には、その先端側にローラ取付部１２の長さ方向と直交する方向に貫通する軸孔部１２ｂが形成されている。そして、これらローラ１３及びローラ取付部１２の各軸孔部１３ａ，１２ｂに回転軸１５が挿通され、その挿通された回転軸１５を介してローラ１３がローラ取付部１２に回転可能に取り付けられている。この場合、ローラ１３は、その幅方向における一方側（片側）からローラ取付部１２により支持された状態となっている。
【００２８】
具体的には、回転軸１５はボルトからなり、頭部１５ａと軸部１５ｂとを有している。回転軸１５は、その軸部１５ｂがローラ１３及びローラ取付部１２の各軸孔部１３ａ，１２ｂにローラ１３側から挿入され、その軸部１５ｂの先端部に手締めのナット１７が締結されている。詳しくは、軸部１５ｂの先端側にはおねじ部が形成され、そのおねじ部にナット１７が締結されている。
【００２９】
また、ローラ取付部１２の軸孔部１２ｂには、その内周面にめねじ部が形成されている。そのため、軸部１５ｂは、軸孔部１２ｂに挿通された状態でそのおねじ部がめねじ部に螺合されている。これにより、万が一ナット１７が外れた場合にも、回転軸１５がローラ取付部１２から容易に脱落することが防止されている。なお、軸部１５ｂの基端側はおねじ部が形成されていない非ねじ部分となっており、その非ねじ部分がローラ１３の軸孔部１３ａに挿通されている。
【００３０】
また、回転軸１５（ボルト）の頭部１５ａは、ローラ１３の側面（詳しくは、ローラ取付部１２側とは反対側の側面）に形成された収容凹部１３ｂに収容されている。収容凹部１３ｂは、軸孔部１３ａと連続する円形の凹部である。この収容凹部１３ｂに頭部１５ａが配設された状態において、頭部１５ａは、ローラ１３の上記側面よりも側方に突出していない。
【００３１】
なお、ローラ１３に幅方向に貫通する複数の中空部を形成することで、ローラ１３の軽量化を図ってもよい。その場合、伸縮ポール１１を持ってローラ１３を操作する際、その操作がし易くなる。
【００３２】
ローラ１３は、その幅が後述する外壁面材２２間の目地２４，３３の幅よりも大きくされている（図５，図６参照）。ローラ１３の外周面には、その外周側に突出する突出部１９が設けられている。突出部１９は、ローラ１３の幅方向の両端部にそれぞれ設けられ、ローラ１３の周方向全域に亘って延びている。各突出部１９は、互いの突出高さがいずれも同じとされ、また互いの幅がいずれも同じとされている。また、各突出部１９は、互いの間隔が目地２４，３３の幅よりも大きくされ、かつ、後述するシール材２５のカバー部２５ｂの幅よりも小さくされている（図５，図６参照）。また、各突出部１９は、その先端面が先端に向けて凸となる円弧状をなしている。
【００３３】
ちなみに、ローラ１３の外周面に各突出部１９が設けられていることで、ローラ１３には各突出部１９の間にローラ１３の周方向全域に亘って延びる溝部が形成されているともいえる。
【００３４】
続いて、上述したシール材押込み工具１０の使用方法について図４を用いながら説明する。図４は、シール材押込み工具１０の使用時の状態を示す斜視図である。なお、以下では、既設の建物２０において、シール材の一部が外壁の目地から外れた場合に、その外れたシール材をシール材押込み工具１０を用いて目地に押し込むことを想定している。
【００３５】
図４に示すように、建物２０は、一階部分と二階部分とを有する二階建てとされている。建物２０の外壁部２１は、並べて設けられた複数の外壁面材２２を有して構成されている。外壁面材２２は、窯業系サイディングボードよりなり、一階部分及び二階部分にそれぞれ横並びで複数ずつ設けられている。なお、図示は省略するが、各外壁面材２２は、その裏面側に設けられた壁下地材（図示略）により支持されている。
【００３６】
横並びで隣り合う外壁面材２２の間には、上下に延びる目地２４（縦目地）が形成されている。各目地２４には、それぞれシール材２５が目地２４に沿って設けられている。シール材２５は、定形シールからなり、ガスケットとも呼ばれる。シール材２５は、ＥＰＤＭ等の弾性を有する樹脂材料により形成されている。なお、この場合、横並びで隣り合う外壁面材２２が「隣り合って設けられる各建材」に相当する。
【００３７】
ここで、この建物２０では、二階部分の目地２４からシール材２５の一部が外れた状態となっている。そして、そのシール材２５を作業者Ｈがシール材押込み工具１０を用いて地上から目地２４に押し込む作業を行うこととなっている。この押し込み作業においてはまず、シール材押込み工具１０のローラ１３がシール材２５の外れている部分まで届くように、伸縮ポール１１を伸長させる。その後、伸縮ポール１１の基端側、詳しくは最も基端側の筒体１１ｅを持って、伸縮ポール１１を操作することにより、ローラ１３をシール材２５の外れている部分に当接させる。そして、その状態で、伸縮ポール１１の操作により、ローラ１３を目地２４の長さ方向に回転移動させることでシール材２５を目地２４に押し込む。
【００３８】
以上のように、伸縮式の上記シール材押込み工具１０を用いれば、地震等の外部要因により、作業者Ｈの手の届かない二階部分（高所）でシール材２５の一部が目地２４から外れた場合にも、梯子をかけることなく、シール材２５を目地２４に押し込むことが可能となる。
【００３９】
続いて、シール材押込み工具１０のローラ１３によりシール材２５を目地２４に押し込む際の作用について図５を用いながら説明する。図５は、隣り合う外壁面材２２の間の目地２４にシール材２５をローラ１３により押し込む際の様子を示す横断面図である。
【００４０】
図５に示すように、隣り合う外壁面材２２の境界部には、それら両外壁面材２２に跨がるようにして屋外に開口する凹状部２７が形成されている。この凹状部２７は、その屋内側で目地２４と連続しており、目地２４の長さ方向に沿って延びている。したがって、隣り合う外壁面材２２の境界部では、屋外側に凹状部２７が形成され、その屋内側に目地２４が形成されている。
【００４１】
凹状部２７は、その幅が目地２４の幅（目地幅）よりも大きくされており、その幅方向の中央部で目地２４に通じている。凹状部２７は、その両側の側面２７ａがそれぞれ傾斜面とされ、それら各傾斜面は屋外側に向かうにつれ互いに離間するように形成されている。また、凹状部２７は、その底面２７ｂが目地２４を挟んだ両側に形成され、それら各底面２７ｂは外壁面と平行な面となっている。
【００４２】
シール材２５は、目地２４に対して屋外側から嵌め込まれている。シール材２５は、目地２４に挿入される挿入部２５ａと、目地２４よりも屋外側で隣り合う各外壁面材２２に跨がって設けられるカバー部２５ｂとを有している。挿入部２５ａは、各外壁面材２２において目地２４を挟んで対向する端面に密着される複数のリップを有している。この挿入部２５ａにより目地２４が塞がれることで、目地２４を通じて雨水等の水が屋内側に浸入することが防止されている。
【００４３】
カバー部２５ｂは、その幅が目地２４の幅（換言すると挿入部２５ａの幅）よりも大きくされており、その目地２４を屋外側から覆った状態で凹状部２７に配置されている。カバー部２５ｂは、その幅方向の両端部、詳しくは目地２４に対して幅方向の両側に延出した各部分がそれぞれ各外壁面材２２における凹状部２７の底面２７ｂにそれぞれ密着されている。この場合、各外壁面材２２の底面２７ｂはシール材２５のカバー部２５ｂを受けるシール受け面ということもできる。また、カバー部２５ｂは、その表面（屋外側面）が幅方向の中央部において屋外側に凸となる曲面形状、詳しくは円弧形状をなしている。
【００４４】
上記のシール材２５をローラ１３により目地２４に押し込むに際しては、まず各突出部１９をそれぞれシール材２５のカバー部２５ｂの幅方向両端部（換言すると、カバー部２５ｂにおける各外壁面材２２に跨がる部分）に屋外側から当接させた状態（図５に示す状態）でローラ１３を配置するローラ配置工程を行う。この配置状態では、ローラ１３の各突出部１９の間にカバー部２５ｂの幅方向の中央部が入り込んだ状態とされる。
【００４５】
次に、上記の配置状態でローラ１３を目地２４（つまりシール材２５）に沿って回転移動させることで、シール材２５を目地２４に押し込むシール材押込み工程を行う。この工程では、各突出部１９によりカバー部２５ｂの幅方向の両端部（カバー部２５ｂにおける各外壁面材２２に跨がる部分）をそれぞれ各外壁面材２２の底面２７ｂに押し付けて保持しながら、カバー部２５ｂの幅方向の中央部をローラ１３の外周面（詳しくは各突出部１９の間における当該外周面）により押圧することでシール材２５を目地２４に押し込む。これにより、シール材２５を目地２４に押し込む際、シール材２５を目地２４に押し込み過ぎてしまうのを防止することができ、その結果、シール材２５を目地２４に適切な押し込み量で押し込むことが可能となる。
【００４６】
また、シール材押込み工程に際しては、カバー部２５ｂの幅方向の中央部が各突出部１９の間に入り込んでいるため、それら各突出部１９によりローラ１３の幅方向の変位が規制される。このため、ローラ１３を目地２４に沿って容易に回転移動させることが可能となっている。
【００４７】
また、シール材押込み工程に際し、各突出部１９においてカバー部２５ｂの表面に接触する各々の接点間の距離は目地２４の幅よりも大きくなっている。また、カバー部２５ｂの幅は上記接点間の距離よりも大きくされている。また、各突出部１９の突出高さ（詳しくはローラ１３の外周面からの突出高さ）はカバー部２５ｂにおける目地深さ方向（換言すると突出部１９の突出方向）の長さよりも小さくされている。
【００４８】
なお、ローラ配置工程については、シール材２５において目地２４から外れていない部分に対してローラ１３を配置するのが望ましい。この場合、ローラ１３を、各突出部１９がカバー部２５ｂの幅方向両端部に当接する所定位置に配置する際、その配置がし易い。また、この場合、ローラ配置工程の後、ローラ１３を、シール材２５において目地２４から外れていない上記部分から、目地２４から外れている部分へと目地２４に沿って回転移動させ、その後、シール材押込み工程を行う。
【００４９】
ところで、建物２０の外壁部２１には、サッシやシャッタ等の外壁取付部材が取り付けられる場合がある。この場合、外壁面材２２と外壁取付部材との間に目地が形成され、その目地に対してシール材２５が設けられる。そこで、以下では、かかる目地に対してシール材２５をシール材押込み工具１０を用いて押し込む際の様子について図６を用いながら説明する。図６は、外壁面材２２と外壁取付部材との間の目地にシール材２５をローラ１３により押し込む際の様子を示す横断面図である。
【００５０】
図６に示すように、外壁部２１には、外壁取付部材としてサッシ３１が取り付けられている。サッシ３１は、その周縁部に沿って配置されたサッシフレーム３２を有している。サッシフレーム３２は外壁面材２２と横並びで隣接しており、それらサッシフレーム３２及び外壁面材２２の間には上下に延びる目地３３（縦目地）が形成されている。そして、その目地３３には当該目地３３に沿ってシール材２５が設けられている。なお、この目地３３は、上述した外壁面材２２間の目地２４と目地幅が同じに設定されている。また、この場合、外壁面材２２及びサッシ３１が「隣り合って設けられる建材」に相当する。
【００５１】
サッシフレーム３２は、外壁面材２２の底面２７ｂ（以下、シール受け面２７ｂという）と同一平面上に形成されたシール受け面３２ａを有している。このシール受け面３２ａは、外壁面材２２のシール受け面２７ｂと目地３３を挟んで隣り合っている。シール材２５は、その挿入部２５ａが目地３３に挿入され、そのカバー部２５ｂが目地３３よりも屋外側で外壁面材２２及びサッシフレーム３２の各シール受け面２７ｂ，３２ａに跨がって設けられている。また、サッシフレーム３２は、外壁面材２２よりも屋外側に張り出した張出部分３２ｂを有しており、この張出部分３２ｂは目地３３に沿って上下に延びている。
【００５２】
外壁面材２２とサッシ３１との間の目地３３にシール材２５をシール材押込み工具１０を用いて押し込む際には、上述した外壁面材２２間の目地２４にシール材２５を押し込む場合と同様の手順で押し込む。すなわち、まずローラ配置工程を行い、その後シール材押し込み工程を行う。
【００５３】
具体的には、ローラ配置工程では、ローラ取付部１２がローラ１３を挟んで張出部分３２ｂとは反対側に位置するようローラ１３を配置する。これにより、サッシフレーム３２に張出部分３２ｂが設けられている構成にあって、ローラ取付部１２が張出部分３２ｂに干渉することなくローラ１３をシール材２５の屋外側に配置することが可能となる。
【００５４】
なお、図６の例では、外壁面材２２が右側、サッシ３１が左側に配置されているが、これとは逆に外壁面材２２が左側、サッシ３１が右側に配置される場合もある。その場合、張出部分３２ｂが目地３３に対して右側に配置されることになるため、ローラ配置工程において、ローラ１３及びローラ取付部１２を図６の場合とは左右逆にして（左右反転して）配置することになる。
【００５５】
本発明は上記実施形態に限らず、例えば次のように実施されてもよい。
【００５６】
・上記実施形態では、二階部分の目地２４にシール材２５を押し込むに際し、シール材押込み工具１０を用いたが、一階部分の目地２４にシール材２５を押し込むに際しシール材押込み工具１０を用いてもよい。この場合、伸縮ポール１１を縮めた状態で用いればよい。
【００５７】
・上記実施形態では、ポール１１（伸縮ポール１１）を伸縮可能としたが、ポールを伸縮不能な固定長さとしてもよい。また、ポールを固定長さとした場合、そのポールに対して直接ローラ１３を取り付けてもよい。この場合、ポールが本体部に相当することになる。
【００５８】
・上記実施形態では、既設の建物２０において、目地２４から外れたシール材２５を当該目地２４に押し込む際にシール材押込み工具１０を用いたが、シール材押込み工具１０を建物の施工時（新築時）にシール材２５を目地２４に新規に設ける際に用いてもよい。
【００５９】
・上記実施形態では、ローラ１３をその幅方向の一方側からローラ取付部１２により支持する構成としたが、ローラ１３をその幅方向の両側からローラ取付部１２により支持する構成としてもよい。この場合、例えば、ローラ取付部１２を、ローラ１３の幅方向に間隔をおいて配置された一対の支持部と、それら各支持部の基端部を繋ぐ繋ぎ部とを有して構成し、繋ぎ部を伸縮ポール１１の先端部に対して固定する。そして、ローラ１３を各支持部の間に配置し、その配置状態でローラ１３を各支持部に回転軸を介して回転可能に取り付けるようにする。かかる構成においても、ローラ１３をローラ取付部１２に回転可能に取り付けることが可能となる。
【００６０】
・上記実施形態では、シール材２５のカバー部２５ｂの表面が幅方向の中央部にて屋外側に凸となる曲面形状を有していたが、例えばカバー部２５ｂの表面が外壁面材２２の壁面と平行な平面形状を有している場合も考えられる。このような場合にも、本シール材押込み工具１０を用いれば、ローラ１３の各突出部１９によりカバー部２５ｂにおいて各外壁面材２２に跨がる部分をそれぞれ各外壁面材２２に押し付けて保持することが可能となる。
【００６１】
また、カバー部２５ｂの表面が上記のように平面形状を有している場合には、ローラ１３に突出部１９を設けないようにしてもよい。この場合、ローラ１３の外周面における幅方向の両端側でカバー部２５ｂにおける各外壁面材２２に跨がる部分をそれぞれ各外壁面材２２に押し付けて保持するようにすればよい。なお、この場合には、ローラ１３の外周面における幅方向の両端側がそれぞれ保持部に相当する。
【００６２】
・上記実施形態では、ローラ１３の各突出部１９によりカバー部２５ｂにおける各外壁面材２２に跨がる部分をそれぞれ外壁面材２２に押し付けるようにしたが、これを変更してもよい。例えば、ローラ１３の外周面に、各突出部１９に代えて、互いの間隔がカバー部２５ｂの幅よりも大きい一対の突部を設けるようにしてもよい。この場合、ローラ１３を目地２４に沿って回転移動させることでシール材２５を目地２４に押し込む際、各突部をカバー部２５ｂを挟んだ両側において先端を各外壁面材２２の底面２７ｂに当接させた状態で配置することができる。これにより、シール材２５を目地２４に押し込む際、シール材２５を押し込み過ぎてしまうのを防止することができる。
【００６３】
・上記実施形態では、ローラ１３を一の部材（樹脂部材）により形成したが、ローラ１３を複数の部材を組み合わせて形成してもよい。例えば、ローラ１３を、その厚み方向に重ねて設けられた複数の円板状部材を組み合わせて形成することが考えられる。具体的には、複数の円板状部材には、各突出部１９をそれぞれ形成する一対の第１部材と、それら各第１部材の間に設けられ突出部１９を形成しない第２部材とが含まれる。そして、これら各第１部材と第２部材とを接着等により互いに接合することでローラ１３を形成することが考えられる。
【符号の説明】
【００６４】
１０…シール材押込み工具、１１…伸縮ポール、１２…ローラ取付部、１３…ローラ、１５…回転軸、１９…保持部としての突出部、２０…建物、２２…建材としての外壁面材、２４…目地、２５…シール材、２５ａ…挿入部、２５ｂ…カバー部、３１…建材としてのサッシ、３３…目地。
【図１】
2020066940.tif 000003
【図２】
2020066940.tif 000004
【図３】
2020066940.tif 000005
【図４】
2020066940.tif 000006
【図５】
2020066940.tif 000007
【図６】
2020066940.tif 000008